(57)【特許請求の範囲】
【請求項１】
スプール様式で巻き取るテープを受け入れるように構成された、実質的に中空の円筒外部ドラムを備えている巻取りリールと、
前記外部ドラムの内部に配置された円筒リーダドラムと、
該リーダドラムまわりに配置され、かつ前記外部ドラム内に配置されて、前記リーダドラムに対し、ほぼ同心に支持されるとともに少なくとも部分的に回転可能である少なくとも１つの軸受と、
前記リーダドラムに係合する第１の端部およびテープ接続具を備えた第２の端部を有するリーダテープとを具備し、
前記外部ドラムがテープ開口を備え、該テープ開口が、前記リーダテープの一部を自由に貫通通過させるように構成されており、
前記テープ開口が、前記テープ接続具の貫通通過を阻止するように構成されており、
前記外部ドラムだけが、駆動モータの駆動シャフトにより直接結合されるように構成されている、テープ・スレッディング装置。
【請求項２】
前記リーダドラムに接続された第１接続点と、前記巻取りリールに接続された第２接続点とを備えているバネ機構をさらに具備し、該バネ機構を片寄らせることにより、前記リーダドラムと前記外部ドラムとの間の相対回転を発生させる、請求項１に記載のテープ・スレッディング装置。
【請求項３】
前記バネ機構が渦巻きバネを備えている、請求項２に記載のテープ・スレッディング装置。
【請求項４】
前記リーダドラムが実質的に円筒形状であり、かつ主円筒対称軸を備えており、
前記リーダテープがリーダドラムに係合して、前記主円筒対称軸まわりの前記リーダドラムの回転によりリーダテープをリーダドラムに巻き取り、
前記バネ機構を片寄らせることにより、前記リーダドラムを、前記外部ドラムに対して前記リーダテープが前記リーダドラムに巻き取られる位置に回転させ、前記テープ接続具を前記テープ開口にはめ込む、請求項２に記載のテープ・スレッディング装置。
【請求項５】
前記バネ機構が、前記リーダドラムに対して第１回転方向に、前記外部ドラムに最大選択トルクを作用し、
前記駆動モータが前記外部ドラムに結合されて、前記第１回転方向の逆方向に前記外部ドラムを駆動するように構成され、前記駆動モータがさらに、前記バネ機構による前記最大選択トルクにほぼ等しいトルクを前記外部ドラムに作用するように構成されている、請求項４に記載のテープ・スレッディング装置。
【請求項６】
スプール様式で巻き取るテープを受け入れるように構成された外部ドラムを備えている巻取りリールと、
前記外部ドラムの内部に配置され、かつ前記外部ドラムに対し、ほぼ同心に支持されるとともに少なくとも部分的に回転可能なリーダドラムと、
該リーダドラムに係合する第１の端部およびテープ接続具を備えた第２の端部を有するリーダテープと、
前記リーダドラムに接続された第１接続点および、前記巻取りリールに接続された第２接続点を備えているバネ機構であって、該バネ機構を片寄らせることにより、前記リーダドラムと前記外部ドラムとの間の相対回転を発生させるバネ機構とを具備し、
前記外部ドラムが内部にテープ開口を備え、該テープ開口が、前記リーダテープの一部を自由に貫通通過させるように構成され、
前記テープ開口が、前記テープ接続具の貫通通過を阻止するように構成され、
前記外部ドラムだけが、駆動モータの駆動シャフトにより直接結合されるように構成されている、テープ・スレッディング装置。
【発明の詳細な説明】
【０００１】
【発明の属する技術分野】
本願発明は、リールに巻かれている読出可能テープを取扱う装置に関するものであり、更に詳細に記せば、単一リール・カートリッジに関連して動作するテープ・スレッディング装置に関する。
【０００２】
【従来の技術】
データ、プログラム、および他の情報は、しばしば磁気テープのようなテープに記憶される。これら磁気テープの所要記憶量を減らすために、単一リール・カートリッジを製造するのが普通である。すなわち、カートリッジは、磁気テープを保持するリールまたはスプールだけを備え、巻取りスプールを備えていない。図１に、供給源リール９を備えた単一リール・テープカートリッジ８がテープＴを巻取りリール１０に与えるこのような構成を図示してある。テープＴは、巻取りリール１０に巻かれる前にヘッドＨのような磁気リーダを通過する。供給源テープの所要部分が読み出されてしまうと、テープは、機械Ｍから取り外すことができる単一リール・カートリッジに巻き戻される。
【０００３】
単一リール・テープカートリッジを使用すると、テープＴを巻取りリール１０に接続しなければならない。これまでこれを行なうのに２つの主要な方法が使用されてきた。第１の方法は、リンク・カム機構を使用して供給源テープの端にあるリーダブロックまたはテープ接続具を捕らえ、これを巻取りハブに設置する。このときリーダブロックの一方の表面がハブの巻き面の部分を形成する。このスレッディング機構は余分の空間を必要とし、形状係数の小さい駆動装置には利用できない。この装置はまた、巻取りリールを駆動する第１のモータの他にリンク・カム機構を作動させる第２のモータおよび機構を必要とする。これら構成要素を追加すると巻取り駆動装置に費用と複雑さとが追加される。
【０００４】
供給源テープを巻取りリールにスレッディングする第２の方法は、スレッディング・リーダを使用している。スレッディング・リーダは、巻取りハブに取り付けられるテープの短片である。スレッディング・リーダおよび供給源テープを次に、巻取りハブに接続して巻く。そうする際に、テープ接続具も巻取りハブに巻かれる。この情況を今説明したばかりの従来技術を図示した図２に示してある。巻取りリール１は、巻取りハブ４の周りでリールに巻かれるテープＴを支持するのに使用される下部フランジ２を備えている。テープをテープ接続具によりリーダテープに接続する。図３に示すもののようなテープ接続具を使用すれば、テープが巻取りハブ４に蓄積するにつれて、巻かれたテープ６の外面がテープ接続具の場所で明確な隆起または膨らみ７の上に乗る。更に、テープ外面６のでこぼこが巻取り表面の精度を下げる。これは、テープ上のデータの記憶位置が巻取りスプールの回転数により識別されるとき重要になることがあり、テープの近似平均厚さおよび巻取りハブ４の外径と言われている。テープ接続具５のようなでこぼこが導入されると、巻かれたテープの外面６がテープ上のデータのありそうな位置を示す計算値より長い経路になる。
【０００５】
【発明が解決しようとする課題】
この問題の１つの解法が米国特許第４，６６２，０４９号（Ｈｅｒｔｒｉｃｈ）で見られる。Ｈｅｒｔｒｉｃｈのテープ接続具の一般的様式を図４に示す。一般に、Ｈｅｒｔｒｉｃｈの特許で説明されている解法は、第１のテープ端（リーダテープまたは供給源テープ）２０１に先細端２０４を有する開口２０３を設けることである。第２のテープ端（それぞれ、供給源テープまたはリーダ）は、開口２０３の中に嵌まり、先細スロット２０４に係合するよう構成された整形端２０５を備えている。このような構成は、得られる接続が理想的に２つのテープ厚さの厚さしかないという点で、はるかに平らな接続を与える。しかし、このような構成は、巻き付けモータ自身によりテープに与えることができる穏当な張力により容易に解けることがある比較的弱いテープ接続を与える。
【０００６】
したがって、必要なのは、テープを単一リール・カートリッジから巻取りリールに接続する、比較的簡単で一貫したテープ巻き付け面を生じ、リーダテープと供給源テープとの間に比較的強い接続を与える確実な方法である。
【０００７】
【課題を解決するための手段】
本願発明は、たとえば、テープリーダで磁気テープを取扱う場合のように、テープのハンドリングに使用することができるテープ・スレッディング装置を備えている。特に、テープ・スレッディング装置は、単一リール・カートリッジに関連して特に役立つ。
【０００８】
テープ・スレッディング装置は、スプール様式で巻くことができるテープを受け入れるよう構成された外部ドラムを有するテープ巻取りリールを備えている。スプール様式で巻くことができるテープを受け入れるよう構成されたリーダドラムは、外部ドラムに対して同心に且つ外部ドラムに対して少なくとも部分的に回転できるよう支持されている。第１の端を有するリーダテープは、リーダドラムと係合している。リーダテープの第２の端にはテープ接続具が設けられている。外部ドラムは、中にリーダテープ開口を備え、リーダテープの一部がそれを通して自由に通過できるよう構成されている。テープ開口は、テープ接続具がそれを通過しないように構成されている。
【０００９】
本願発明の第１の実施形態では、外部ドラムは、中空の円筒を備えている。リーダドラムは、リーダドラムの周辺の周りに中空ドラムの内部に設置された少なくとも１つの軸受により外部ドラムの中空部分に支持され、したがって、外部ドラムをリーダドラムに対して同心に且つリーダドラムに対して少なくとも部分的に回転可能に支持している。本願発明の第２の実施形態では、巻取りリールは更に、リーダドラムに接続された第１の接続点および巻取りリールに接続された第２の接続点を有するばねを備えている。このばねを片寄せてリーダドラムと外部ドラムとの間に相対回転を生ずることができる。
【００１０】
【発明の実施形態】
本願発明のテープ・スレッディング装置は、単一リール・カートリッジとすることができる供給源からのテープを巻く外部ハブまたは円筒を有する巻取りリールを備えている。外部ドラムは好適には、開放中心部分を有する中空円筒である。巻取りリールは更に、外部ドラムの中空開放部分内部に取り付けられた巻取りハブまたはリーダドラムを備えている。巻取りハブは、外部ドラムに対して少なくとも部分的に回転できるよう構成されている。リーダテープは、リーダドラムに巻かれている。リーダテープは、外部ドラムの中空内側部分から外部ドラムの外面まで外部ドラム内部の隙間であるテープ開口を通過する。リーダテープは供給源テープに接続できるリーダブロックまたはテープ接続具で終わっている。外部ドラム内のテープ開口は、リーダブロックがテープ開口を通過せず、更にリーダブロックが巻取りドラムの外面上方に突出しないように、リーダブロックに係合するよう構成されている。したがって、リーダテープは、供給源テープが外部ドラムに巻かれている間リーダドラムに巻かれている。本願発明の２つの特定の実施形態をここに説明する。
【００１１】
本願発明を特に磁気テープのような巻き得るテープとともに使用するとして、および更に詳細には単一リール・テープカートリッジとともに使用するとして説明するが、ここに説明し開示したテープ・スレッディング装置はセルロイドフィルムのようなどんな巻き得る媒体にも使用できることが理解される。
【００１２】
図５に示す第１の実施形態では、テープリール１０は、上部フランジ１８および下部フランジ１６を備えている。上部フランジ１８および下部フランジ１６は、巻取りリールに巻かれるテープを拘束するのに使用される。巻取りリールは更に、外部ドラム２４を備えている。外部ドラム２４を代わりに巻取りドラムまたは外部ハブと言うことができる。外部ドラム２４は、中空内側部分２５を形成している。中空内側部分２５の内部に巻取りハブ２２が設置されている。巻取りハブ２２は、代わりにリーダドラムと言われ、ここではリーダドラムとして説明する。リーダドラムは、外部ドラムに対して少なくとも部分的に回転できるように、外部ドラム２４に対して取付けられている。好適に、外部ドラム２４およびリーダドラム２２は共に主円筒対称軸２３に取付けられている。
【００１３】
図６に、図５の巻取りリールの側面断面図を示す。巻取りハブ２２は好適に、軸受３６および３８により外部ドラム２４の内部に取付けられている。好適には軸受３６および３８は、外輪が外部ドラム２４の内面２７に取付けられ、内輪が巻取りハブ２２に取付けられた玉軸受である。制限なしに、使用できる他の軸受形式の例には平軸受、スリーブ軸受、およびニードル軸受がある。好適には、軸受３６および３８は、巻取りハブ２２と外部ドラム２４との同心性を維持する精密軸受である。
【００１４】
巻取りハブ２２は好適に、駆動モータ（図示せず）に接続することができる駆動シャフト２０の中に突入し、その一部である。駆動シャフト２０は更に基台４０ににより支持され、軸受４２および４４を支持してシャフト２０の巻取りハブ部分２２に安定性を追加することができる。図６を見ると巻取りハブ２２が外部ドラム２４に対して自由に回転できることが容易にわかる。
【００１５】
図５で、リーダテープ１２が巻取りドラム２２の外周に取付けられていることがわかる。リーダテープ１２は、テープ開口３０を通過している。図７にテープ開口３０の詳細を示してある。テープ開口３０は、外部ドラム２４を通過し、テープ１２を通すのに十分な幅の第１のスロット３４を備えている。テープ開口３０は更に、供給源テープＴからのテープ接続具Ｃの他にリーダテープ１２からのテープ接続具部分１４に適応するのに十分な大きさの第２のスロット３２を備えている。テープ接続具Ｃおよびリーダブロック１４が共に如何に嵌合するかを示す詳細を図３に示す。
【００１６】
図３に示すテープ接続具は、例示目的のためだけのものである。供給源テープの一端をリーダテープの一端と係合するよう動作するどんなテープ接続具をも設けることができることが理解される。テープ接続具は好適に、巻取りハブ２４を修正してテープ接続具の幾何学的形態を巻取りドラム２４の外面にでこぼこ面を生ずることなく係合できる大きさのものである。
【００１７】
動作中、図１に示すテープカートリッジまたは供給源テープ８が機械Ｍに取付けられると、図７のリーダテープ１２が突出し、リーダテープ接続具１４が図示した様式で供給源テープ接続Ｃと係合する。次にシャフト２０を図５に示すようにＤ１の方向に回転させるために巻取りモータを作動させる。これによりリーダテープ１２が巻取りハブ２２に巻かれ、したがってテープ接続具１４がテープ開口３０の更に近くまで引かれる。リーダ１２が巻取りハブ２２に巻かれている期間中、巻取りハブ２２と外部ドラム２４との間の軸受３６および３８の摩擦力は外部ドラムに巻取りドラムの回転方向にトルクを加える可能性がある。しかし、外部ドラム２４が巻取りドラムの回転方向に回転するにつれてスロット３０の一方の側がリーダテープ１２に対して押しつけられるので、巻取りドラムの回転は阻止される。外部ドラムがリーダテープに係合すると、外部ドラムはそれ以上回転できなくなる。これは、テープ開口３０の上面図で開口３０がリーダテープ１２と如何に係合するかを示す図７を見ることによりわかる。外部ドラム２４の回転を阻止する代わりの１つの方法は、別のモータに小さい反回転力を外部ドラムに加えさせることである。これは別の駆動モータを追加する必要があるのであまり好適ではない。リーダテープを開口３０を通過させながら回転ドラム２４の回転を阻止する別の代わりの方法は、機械的ロックを設けて外部ドラム２４を回転巻取りハブ２２に対して固定することである。
【００１８】
リーダブロック１４がテープ開口３０の第２の開口３２に係合してしまうと、巻取りモータにより駆動される巻取りハブは、もはやテープをテープ開口３０を通して引っ張ることができない。この時点で、テープ開口３０と巻取りドラム２２との間のリーダテープの部分の張力が、リーダテープによりテープ接続具および外部ドラムに加えられる偏心力のため外部ドラム２４を回転させる。これは内部ドラムの回転と同じ方向に外部ドラムの回転を生じ、供給源テープを一定の巻取り様式で巻取りドラム２４に巻き取らせる。したがって、単独駆動モータだけを使用して２つの別々の回転表面が与えられる。更に、巻かれるべき供給源テープに対して滑らかな巻取り表面が与えられる。
【００１９】
第１の実施形態の変態では、巻取りドラム２２を駆動シャフト２０から切り離して別個にすることができる。これにより巻取りリール１０を駆動シャフト２０から取り外すことができる。このようなことはテープを第１のリールから第２のリールに移すとき必要になることがある。このようなことはまたテープ駆動機械を保守しやすくするのにも望ましい。
【００２０】
本願発明の第２の実施形態を図８に示す。図５の巻取りリール１０と同様に、図８の巻取りリール１００は、それにに巻かれる供給源テープを拘束するのに使用される上部フランジ１１８および下部フランジ１１６を備えている。巻取りリールは更に、供給源テープを巻くことができる外部ドラム１２４を備えている。外部ドラムは好適には開放中心部を形成する中空円筒部分である。開放中心部分１２５の中に、巻取りハブまたはリーダドラム１２２が設置されている。巻取りハブは好適には外部ドラム１２４に対して同心に円筒軸１２３に取付けられている。リーダドラムは更に、リーダドラムが少なくとも部分的に外部ドラムに対して回転できるように外部ドラムに対して取付けられている。図８のテープ・スレッディング装置は更に、反動ばね機構１５０を備えている。反動ばね１５０は、第１の端１５４でリーダドラム１２２に係合している。反動ばね１５０は、第２の端１５２で外部ドラム１２４に取付けられている。ばねは、中立位置で内部ハブ１２２と外部ドラム１２４との間に所定の回転位置関係が確立するように構成されている。内部ドラム１２２が外部ドラム１２４に対していずれかの方向に回転するとばねが最初の所定位置から離れて片寄せられ、中立位置に押し戻されるようになる。図１０に、反動ばね１５０の等角詳細図およびその、リーダテープ１１２およびリーダドラム１２２との関係を示してある。図面において図示したばね機構は半径方向のばねであるが、代わりのばね機構を採用することができ、目的は内部ハブ１２２を外部ドラム１２４に対して相対回転させることであることが理解される。好適には、ばね機構は、外部ドラム１２４に対して内部ハブ１２２を複数回回転させ、リーダテープ１１２を内部ハブ１２２に堅く係合させるよう構成される。
【００２１】
外部ドラム１２４は更に、テープ開口１３０を備えている。テープ開口１３０は、リーダテープ１１２をテープ接続具１１４を通過させずにリーダテープ１１２を通過させるよう構成された第１の開口１３２を備えている。テープ開口１３０は更に、テープ接続具１１４および図３のＣを受けるのに十分な大きさであって、しかも、テープ接続具がテープ接続具開口１３４に係合するとき巻取りハブ１２４の連続的な滑らかな表面を維持しているテープ接続具開口１３４を備えている。本願発明の第１の実施形態の場合のように、外部ドラム１２４に係合して滑らかな連続外面を作り、供給源テープをその表面に巻くことができるかぎり、リーダブロックの色々な設計を使用することができる。
【００２２】
図９に、図８のテープ・スレッディング装置の側面断面図を示す。巻取りリール１００がこの実施形態では接合具１６２で駆動シャフト１６０に着脱できる別々のリールであるように示してある。接合具１６２は、巻取りリール１００の下部フランジ１１６に係合するよう構成されている。駆動シャフト１６０は、モータ（図示せず）により駆動される。駆動シャフトは、基台１４０を貫いて突出し、駆動シャフトを安定させるために軸受１４２および１４４により支持されることができる。このようにして直接駆動されるのは外部ドラム１２４であって、内部ドラム１２２ではない。これは、リーダドラムまたは巻取りハブ２２がリーダドラムに対して駆動され、外部ドラム２４が自由である本願発明の第１の実施形態を示す図６とは対照的である。図９で、リーダドラム１２２は、巻取りドラム１２４の中空中心部１２５の底に設定された軸受１３８の中に取付けられている。軸受１３８の外輪を巻取りドラム１２４の内部円筒壁に堅く接続することができ、一方軸受１３８の内輪をリーダドラム１２２の外周に堅く取付けることができる。軸受１３８のわずか上方に反動ばね１５０が設置されている。見られるとおり、反動ばね１５０は、外部ドラム１２４と係合点１５２で係合している。ばね１５０の、巻取りハブ１２２との係合点を、図９には示してないが、図８の平面図に示してある。図９でリーダテープ１１２は、反動ばね１５０の上方で巻取りハブ１２２に取付けられている。軸受、反動ばね、テープリーダを巻取りハブ１２２に接続しなければならない特別の順序は存在しないが、図９に示す構成は、振動の減少および保守のし易さにとって好適な配置である。振動からの分離が別に必要なら、第２の軸受を、リーダテープ１１２を巻取りハブ１２２に取付ける点の上方に設けることができる。
【００２３】
動作中、リーダテープ１１２を巻取りリール１００から図８に示す様式で突出させる。スレッディングリーダ１１２をリーダブロック係合スロット１３４から遠くに引っ張るにつれて、内部ハブ１２２が方向Ｒ２に回転する。これによりばねが回転方向Ｒ１に片寄せられる。突出すると、リーダテープは、取付け用テープ接続具１１４により突出位置でアンカーに固定される。供給源テープカセットを図１に示したようにテープ読取り機械に接続すると、供給源テープのテープ接続具がスレッディングリーダ１１２のテープ接続具１１４と係合する。例示テープ接続を図３に示す。好適には、この点で、供給源テープカセットに取付けられた駆動モータが作動して図１に示すように、ｒ１方向の小さい回転力を与える。テープ接続具１１４がそのアンカーから解放されると、反動ばね１５０のばね力が巻取りリール１００の内部ハブ１２２をＲ１方向に回転させる。反動ばね１５０により加えられる力は、モータにより供給源リール９に加えられる小さい回転力より大きいように構成されている。反対の力を供給源リール９に加えれば、供給源テープが巻取りリール１００に巻かれている間、供給源テープは確実に緊張位置に保持される。本願発明を、この逆回転力を供給源リールに加えずに実施することができるが、好適実施形態ではこのような逆の力を加えていることが理解される。反動ばねは、リーダブロック１１４がリーダブロック開口１３４に係合するまで、スレッディングリーダを巻き続ける。リーダブロック１１４がリーダブロック開口１３４に係合した時点で、巻取りリール１００を駆動するのに使用される駆動モータを供給源テープＴに係合してこれを巻取りドラム１２４に巻くことができる。巻き戻しモードでは、巻取りリールの駆動モータが係合し（または小さい反回転力が加えられ）、供給源リールにある駆動モータを使用して供給源テープを巻取りリールから図１の供給源リール９に巻き戻す。巻き戻しの終わりに、リーダテープ１１２がリーダハブ１２２から解かれ、方向Ｒ２の内部ハブの回転を生じ、ばねをＲ１方向に片寄せ、新しいテープをまさに説明した様式で受ける態勢が整う。
【００２４】
以下、本願発明の好適な実施形態を要約列挙する。
＜１＞  スプール様式で巻き得るテープを受け入れるよう構成された外部ドラム２４，１２４を備えている巻取りリール１０，１００と、
外部ドラム２４，１２４に対して同心に支持され、外部ドラム２４，１２４に対して少なくとも部分的に回転し得るリーダドラム２２，１２２と、
リーダドラム２２，１２２に係合する第１の端およびテープ接続具１４，１１４を備えた第２の端を有するリーダテープ１２，１１２と、
を備え、
外部ドラム２４，１２４にはリーダテープ開口３０，１３０が設けられ、当該リーダテープ開口は、リーダテープ１２，１１２の一部を自由に通過させるよう構成されており、  テープ開口３０，１３０は、テープ接続具１４，１１４を通過させないよう構成されているテープ・スレッディング装置。
＜２＞  リーダドラム２２，１２２は主円筒対称軸２３，１２３を有する円筒形のシャフトを備え、
リーダテープ１２，１１２は円筒形のシャフトと係合し、リーダドラム２２，１２２が主円筒対称軸２３，１２３の周りを回転するとリーダテープ１２，１１２がリーダドラム２２，１２２に巻かれるようにされている、前述＜１＞に記載のテープ・スレッディング装置。
＜３＞  リーダドラム２２が駆動モータの駆動シャフトに係合するよう構成されている、前述＜１＞に記載のテープ・スレッディング装置。
＜４＞  外部ドラム２４は内面を有する中空円筒を備え、リーダドラムの円筒形シャフトは、駆動モータにより駆動されるよう構成され、
外部ドラム２４は、外部ドラム内面２７と接触する外輪を備えた少なくとも１つのリーダドラム軸受３６によりリーダドラムにより支持されている、前述＜２＞に記載のテープ・スレッディング装置。
＜５＞  リーダテープ１２は係合位置でリーダドラム２２と係合し、装置は更に、外部ドラム内面２７と接触する第２のリーダドラム軸受外輪を備えた第２のリーダドラム軸受３８を備え、少なくとも１つのリーダドラム軸受３６およびリーダドラム軸受３８は、リーダテープ係合位置の反対側に設置されている、前述＜４＞に記載のテープ・スレッディング装置。
＜６＞  スプール様式で巻き得るテープを受け入れるよう構成された中空の円筒形外部ドラム２４，１２４を備えている巻取りリール１０，１００と、
円筒形リーダドラム２２と、
リーダドラム２２の周りに設置され且つ中空外部ドラム２４の内部に設置されて外部ドラム２４をリーダドラム２２に対して同心に且つリーダドラム２２に対して少なくとも部分的に回転し得るよう支持されている少なくとも１つの軸受３６，３８と、
リーダドラムに係合する第１の端、およびテープ接続具を備えた第２の端を有するリーダテープ１２と、
を備え、
外部ドラム２４にはリーダテープ開口３０が設置されており、当該テープ開口３０はリーダテープ１２の一部が自由に通過できるよう構成され、
テープ開口３０はテープ接続具１４を通過させないよう構成されている、テープ・スレッディング装置。
＜７＞  外部ドラム２４に対してリーダドラム２２が所定数回転するとテープ接続具１４がリーダテープ開口３０内に引き込まれ、
リーダドラム２２が回転するとテープ接続具１４がリーダテープ開口３０内に引き込まれ、リーダテープ１２およびテープ接続具１４に回転力が加わると外部ドラム２４がリーダドラム２２と協調して回転する、前述＜６＞に記載のテープ・スレッディング装置。
＜８＞  更に、リーダドラムに接続された第１の接続点１５４、および巻取りリールに接続された第２の接続点１５２を有するばね機構１５０を備え、ばね機構は、リーダドラム１２２と外部ドラム１２４との間に相対回転を生ずるように片寄せ得る、前述＜７＞に記載のテープ・スレッディング装置。
＜９＞  リーダドラム１２２は、円筒形状で、主円筒対称軸１２３を備え、
リーダテープ１１２は、リーダドラム１２２が主円筒対称軸１２３の周りを回転するとリーダテープ１１２がリーダドラム１２２に巻かれるようにリーダドラム１２２と係合し、
ばね機構１５０は、リーダドラム１２２を外部ドラム１２４に対して、リーダテープ１１２がリーダドラム１２２に巻かれ且つテープ接続具１１４がリーダテープ開口３０に係合する位置に回転させるよう片寄せられる、
前述＜８＞に記載のテープ・スレッディング装置。
＜１０＞  ばね機構１５０は、最大所定トルクを外部ドラム１２４にリーダドラムに対して第１の回転方向Ｒ１に加え、
装置は更に、外部ドラム１２４に係合して外部ドラム１２４を第１の回転方向Ｒ１とは反対の第２の方向Ｒ２に駆動するよう構成された駆動モータを備え、駆動モータは更に、外部ドラム１２４に、ばね機構１５０により外部ドラム１２４に加えられる最大所定トルクにほぼ等しいトルクを加えるよう構成されている、前述＜９＞に記載のテープ・スレッディング装置。
＜１１＞  スプール様式で巻き得るテープを受け入れるよう構成された外部ドラム１２４を備えた巻取りリール１００と、
外部ドラム１２４に対して同心に支持され、外部ドラム１２４に対して少なくとも部分的に回転し得るリーダドラム１２２と、
リーダドラム１２２に係合する第１の端およびテープ接続具１１４を備えた第２の端を有するリーダテープ１１２と、
リーダドラムに接続された第１の接続点１５４および巻取りリール１００に接続された第２の接続点１５２と、を備え、リーダドラム１２２と外部ドラム１２４との間に相対回転を生ずるよう片寄せ得るばね機構１５０、
を備え、
外部ドラム１２４にはリーダテープ開口１３０が設置され、リーダテープ開口はリーダテープ１１２の一部を通過させるよう構成され、
テープ開口１３０は、テープ接続具１１４を通過させないよう構成されている、
テープ・スレッディング装置。
【００２５】
【発明の効果】
上述のように本願発明によって、スプール様式で巻き得るテープを受け入れるよう構成された外部ドラムを備えている巻取りリールと、前記外部ドラムと本質的に同心に支持され、当該外部ドラムに対して少なくとも部分的に回転し得るリーダドラムと、前記リーダドラムに係合する第１の端およびテープ接続具を備えた第２の端を有するリーダテープとを備え、前記外部ドラムにはリーダテープ開口が設けられ、当該リーダテープ開口は、前記リーダテープの一部を自由に通過させるよう構成されており、かつ前記テープ接続具を通過させないよう構成されていることを特徴とするテープ・スレッディング装置が提供される。
すなわち本願発明によれば、テープを単一リール・カートリッジから巻取りリールに接続する、比較的簡単で一貫したテープ巻き付け面を生じ、リーダテープと供給源テープとの間に比較的強い接続を与える確実な方法を提供することができる。
【図面の簡単な説明】
【図１】本願発明を使用することができるテープ読取り装置の概観図である。
【図２】従来技術の巻取りリールの断面平面図である。
【図３】テープ接続具の詳細等角図である。
【図４】．テープ接続具の詳細等角図である。
【図５】本願発明の一実施形態によるテープ巻取りリールの部分断面平面図である。
【図６】図５のテープ巻取りリールの側面立面図である。
【図７】図５に示すテープ巻取りリールのテープ開口の詳細平面図である。
【図８】本願発明の第２の実施形態によるテープ巻取りリールの部分断面平面図である。
【図９】図８のテープ巻取りリールの側面立面図である。
【図１０】図８のテープ巻取りリールの反動ばねの詳細等角図である。
【符号の説明】
１０    巻取りリール
１２    リーダテープ
１４    テープ接続具
２２    リーダドラム
２３    主円筒対称軸
２４    外部ドラム
２７    ドラム内面
３０    リーダテープ開口
３６    軸受
３８    軸受
１００    巻取りリール
１１２    リーダテープ
１１４    テープ接続具
１２２    リーダドラム
１２３    主円筒対称軸
１２４    外部ドラム
１３０    リーダテープ開口
１５０    ばね機構
１５２    接続点
１５４    接続点
【図１】
0003563300.tif 000002
【図２】
0003563300.tif 000003
【図３】
0003563300.tif 000004
【図４】
0003563300.tif 000005
【図５】
0003563300.tif 000006
【図６】
0003563300.tif 000007
【図７】
0003563300.tif 000008
【図８】
0003563300.tif 000009
【図９】
0003563300.tif 000010
【図１０】
0003563300.tif 000011